(57)【要約】【課題】本体移動時の塵埃の吹き飛ばしを抑制することができる電気掃除機を提供することを目的としている。【解決手段】本発明によれば、ユーザがハンドルをつかんで本体を持ち上げると、本体装置の電源がオフされて、モータ動作が停止し、本体の下側より吹き出していた気流が停止するので、床面の塵埃等が飛散する等の事態を未然に防止することができるという効果を得る。【選択図】          図２
2005006717.tif 000002
【特許請求の範囲】
【請求項１】
モータの排気を床面方向へ導き、当該排気流を圧力室に蓄積し、本体を床面より浮上させて移動可能とした電気掃除機において、
本体が床面より所定距離以上離れたときには、上記モータの排気を床面に放出しないようにしたことを特徴とする電気掃除機。
【請求項２】
モータの排気を床面方向へ導き、当該排気流を圧力室に蓄積し、本体を床面より浮上させて移動可能とした電気掃除機において、
本体が床面より所定距離以上離れた状態ではオフし、本体が床面より所定距離以上離れていない状態ではオンするスイッチを設け、
上記スイッチにより、本体電源をオンオフすることを特徴とする電気掃除機。
【請求項３】
モータの排気を床面方向へ導き、当該排気流を圧力室に蓄積し、本体を床面より浮上させて移動可能とした電気掃除機において、
本体が床面より所定距離以上離れたときには、上記圧力室に蓄積される上記モータの排気流を外気へバイパスする手段を設けたことを特徴とする電気掃除機。
【請求項４】
モータの排気を床面方向へ導き、当該排気流を圧力室に蓄積し、本体を床面より浮上させて移動可能とした電気掃除機において、
本体の側面にハンドルを設けたことを特徴とする電気掃除機。
【発明の詳細な説明】
【０００１】
【発明の属する技術分野】
本発明は、モータの排気を床面方向へ導き、当該排気流を圧力室に蓄積し、本体を床面より浮上させて移動可能とした電気掃除機に関する。
【０００２】
【従来の技術】
従来より、モータの排気を床面方向へ導き、当該排気流を圧力室に蓄積し、本体を浮上させて移動可能とした電気掃除機（以下、「浮上式電気掃除機」という）が提案されている（特許文献１を参照）。
【０００３】
【特許文献１】
特開平６−１３３９００号公報
【０００４】
この浮上式電気掃除機は、本体が床面と接触しないため、ユーザが吸い込み口が付いたホース（以下、「掃除用ホース」という）を移動する際、そのユーザが操作する掃除用ホースの動きに従って円滑に移動するので、ユーザの作業が楽に行えるという利点がある。
【０００５】
【発明が解決しようとする課題】
しかしながら、このような浮上式電気掃除機では、ユーザが本体を移動するための本体上側にハンドルを設けた場合、圧力室から吹き出す気流が床面に衝突して、本体周囲の塵埃を吹き飛ばすという不具合を生じる。
【０００６】
本発明は、かかる実情に鑑みてなされたものであり、本体移動時の塵埃の吹き飛ばしを抑制することができる電気掃除機を提供することを目的としている。
【０００７】
【課題を解決するための手段】
本発明は、モータの排気を床面方向へ導き、当該排気流を圧力室に蓄積し、本体を床面より浮上させて移動可能とした電気掃除機において、本体が床面より所定距離以上離れたときには、上記モータの排気を床面に放出しないようにしたものである。
【０００８】
また、モータの排気を床面方向へ導き、当該排気流を圧力室に蓄積し、本体を床面より浮上させて移動可能とした電気掃除機において、本体が床面より所定距離以上離れた状態ではオフし、本体が床面より所定距離以上離れていない状態ではオンするスイッチを設け、上記スイッチにより、本体電源をオンオフするようにしたものである。
【０００９】
また、モータの排気を床面方向へ導き、当該排気流を圧力室に蓄積し、本体を床面より浮上させて移動可能とした電気掃除機において、本体が床面より所定距離以上離れたときには、上記圧力室に蓄積される上記モータの排気流を外気へバイパスする手段を設けたものである。
【００１０】
また、モータの排気を床面方向へ導き、当該排気流を圧力室に蓄積し、本体を床面より浮上させて移動可能とした電気掃除機において、本体の側面にハンドルを設けたものである。
【００１１】
【発明の実施の形態】
以下、添付図面を参照しながら、本発明の実施の形態を詳細に説明する。
【００１２】
図１は、本発明の一実施例にかかる浮上式電気掃除機の一例を示している。また、本実施例では、吸気中の塵埃を除去する方式として、いわゆる、サイクロン方式を適用している。
【００１３】
同図において、この浮上式電気掃除機の本体１は、略円筒状に形成されており、本体１の上部には、ユーザが本体１を運搬する際につかむためのハンドルＨＬが設けられているとともに、本体１の下部にはスカート部２が設けられている。本体１の中央部には、モータ３が固定されるモータ室４が設けられており、連結部５には、図示しないホースが連結される。
【００１４】
また、連結部５より流入した空気は、本体１の上部に設けられているサイクロン方式の分離部６へ導かれ、分離部６を旋回中に、吸気中に含まれる塵埃が集塵室７へ集められる。
【００１５】
また、吸気流は、モータ室４の上端部に設けられている吸気孔８を介してモータ室４へと至り、さらに、モータ室４の下端部に設けられている排気孔９を介して、本体１の下側に設けられている圧力室１０へ至る。
【００１６】
また、圧力室１０は、その周囲が壁部材１１により仕切られている。また、集塵室７の下位置には、電源コードを巻き取るためのコードリール１２が収容されている。
【００１７】
また、壁部材１１が床面に対向する部分１１ａは、本体１の内側方向へ湾曲する態様に形成されている。また、部分１１ａと床面との距離は、スカート部２が最も床面に近づく端部２ａと床面との距離よりも小さくなるように設定されている。
【００１８】
また、排気孔９が設けられている下固定板１３には、キャスター１４を上下方向に移動可能に取り付けるための取付部材１５が設けられている。キャスター１４の上部には、その周囲が立ち上がる態様の壁部１４ａが設けられており、この壁部１４ａの内側には、キャスター１４を下方向へ付勢するスプリング１６が設けられている。
【００１９】
また、キャスター１４の上部には、突起１４ｂが設けられており、キャスター１４が最も上方向に移動した状態で、突起１４ｂによりオン作動可能な態様に、スイッチ１７が設けられている。
【００２０】
また、図２に示すように、スイッチ１７は、この浮上式電気掃除機の本体装置１００に、電源を供給する電源スイッチとして用いられる。
【００２１】
以上の構成で、本体１を床面においた状態では、図２に示すように、キャスター１４が床面に突き当たるので、スプリング１６の付勢力に抗して、キャスター１４は、取付部材１５の内側で上方向に移動する。
【００２２】
それにより、キャスター１４の突起１４ｂは、スイッチ１７をオンし、その結果、本体装置１００へ電源が供給されて、本体装置１００の動作が可能な状態となる。
【００２３】
この後、ユーザが図示しないユーザ操作の電源スイッチをオンすると、本体装置１００が起動し、モータ３が動作して、モータ３による気流が圧力室１０に蓄積され、圧力室１０の圧力が十分な大きさになると、本体１が床面より浮上し、浮上式電気掃除機が運転可能な状態となる。
【００２４】
この運転状態で、ユーザがハンドルＨＬをつかんで持ち上げると、本体１と床面との距離が徐々に増大し、それに伴い、スプリング１６の付勢力によって、キャスター１４が床面に押しつけられる方向、すなわち、下方向へ移動する。
【００２５】
そして、キャスター１４の突起１４ａがスイッチ１７をオンできない態様にまで、本体１と床面との距離が大きくなると（図３参照）、スイッチ１７がオフし、その結果、本体装置１００に供給されていた電源が遮断されるので、本体装置１００の動作が停止し、その結果、モータ３の動作が停止して、モータ３が発生させていた気流が停止し、圧力室１０へ供給される気流も停止する。
【００２６】
このようにして、ユーザがハンドルＨＬをつかんで本体１を持ち上げると、本体装置１００の電源がオフされて、モータ３の動作が停止し、本体１の下側より吹き出していた気流が停止するので、床面の塵埃等が飛散する等の事態を未然に防止することができる。
【００２７】
図４および図５は、本発明の他の実施例にかかる浮上式電気掃除機の構成の一例を示したものである。なお、図において、図１と同一部分および相当する部分には、同一符号を付している。
【００２８】
図において、この浮上式電気掃除機の本体１は、略円筒状に形成されており、本体１の上部には、ユーザが本体１を運搬する際につかむためのハンドルＨＬが設けられているとともに、本体１の下部にはスカート部２が設けられている。本体１の中央部には、モータ３が固定されるモータ室４が設けられており、連結部５には、図示しないホースが連結される。
【００２９】
また、連結部５より流入した空気は、本体１の上部に設けられているサイクロン方式の分離部６へ導かれ、分離部６を旋回中に、吸気中に含まれる塵埃が集塵室７へ集められる。
【００３０】
また、吸気流は、モータ室４の上端部に設けられている吸気孔８を介してモータ室４へと至る。
【００３１】
モータ室４の下側に配置されている下固定板２０には、キャスター２１，２２を上下方向に移動可能に取り付けるための取付部材２３，２４が設けられている。キャスター２１，２２の上部には、その周囲が立ち上がる態様の壁部２１ａ，２２ａが設けられており、この壁部２１ａ，２２ａの内側には、キャスター２１，２２を下方向へ付勢するスプリング２５，２６が設けられている。
【００３２】
また、キャスター２１，２２の上部の中央部には、棒部材２１ｂ，２２ｂが立ち上げられており、この棒部材２１ｂ，２２ｂは、下固定板２０に穿設されている孔２０ａ，２０ｂを貫通して、その上端部がモータ室４へ達している。
【００３３】
また、キャスター２２に設けられている棒部材２２ｂの先端部には、孔２０ｂを閉止可能な態様に形成された蓋部材２０ｃが設けられている。また、キャスター２１に設けられている棒部材２１ｂの先端部には、孔２０ａを閉止可能な態様に形成された蓋部材２１ｃが設けられるとともに、この蓋部材２１ｃには、モータ室４の内壁面に沿って立ち上がる板部材２１ｄが連結されている。また、板部材２１ｄには、モータ室４と排気路２７を連絡するために外壁に穿設された孔２８を開閉するための孔２１ｅが設けられている。
【００３４】
また、キャスター２１，２２には、キャスター２１，２２の上面と、外気とを連絡するための連通孔２１ｆ、２２ｄが穿設されている。
【００３５】
また、本体１の下部には、浮上用の圧力を蓄積するための圧力室３０を構成するための壁部材３１が設けられており、壁部材３１が床面に対向する部分３１ａは、本体１の内側方向へ湾曲する態様に形成されている。また、部分３１ａと床面との距離は、スカート部２が最も床面に近づく端部２ａと床面との距離よりも小さくなるように設定されている。
【００３６】
また、集塵室７の下位置には、電源コードを巻き取るためのコードリール３２が収容されている。
【００３７】
以上の構成で、本体１を床面においた状態では、図４に示すように、キャスター２１，２２が床面に突き当たるので、スプリング２５，２６の付勢力に抗して、キャスター２１，２２は、取付部材２３，２４の内側で上方向に移動する。
【００３８】
それにより、キャスター２１，２２の棒部材２１ｂ，２２ｂに設けられている蓋部材２１，２２ｃは、それぞれ孔２０ａ，２０ｂを解放する。その結果、モータ室４から放出される気流は、孔２０ａ，２０ｂを介して、キャスター２１，２２の上部へ至り、キャスター２１，２２の連結孔２１ｆ，２２ｄを介して、本体１の下部へ流れ、壁部材３１で仕切られた圧力室３０に蓄積され、圧力室３０の圧力が十分な大きさになると、本体１が床面より浮上し、浮上式電気掃除機が運転可能な状態となる。
【００３９】
また、この状態では、キャスター２１の棒部材２１ｂに連結されている板部材２１ｄが上方向へ移動するので、孔２１ｅは孔２８を閉止し、それにより、モータ室４の気流は、排気路２７へは流れない。
【００４０】
この運転状態で、ユーザがハンドルＨＬをつかんで持ち上げると、本体１と床面との距離が徐々に増大し、それに伴い、スプリング２５，２６の付勢力によって、キャスター２１，２２が床面に押しつけられる方向、すなわち、下方向へ移動するので、キャスター２１の棒部材２１ｂに連結されている板部材２１ｄも下方向へ移動する。
【００４１】
このとき、板部材２１ｄの孔２１ｅが孔２８を徐々に開くので、モータ室４の気流は、孔２１ｅおよび孔２８を介して徐々に排気路２７へ流れ、圧力室３０の圧力も徐々に下がっていく（図５参照）。
【００４２】
そして、キャスター２１，２２が取付部材２２，２３の最端部まで、スプリング２５，２６により付勢される状態では、蓋部材２１ｃ，２２ｃが孔２０ａ，２０ｂを閉塞するとともに、板部材２１ｄの孔２１ｅが孔２８を完全に解放するので、モータ室４の気流は、排気路２７へ流れるとともに、圧力室３０への気流の供給は停止する。
【００４３】
このようにして、ユーザがハンドルＨＬをつかんで本体１を持ち上げると、モータ室４から圧力室３０への気流の供給が停止するので、本体１の下側より吹き出していた気流が停止し、その結果、床面の塵埃等が飛散する等の事態を未然に防止することができる。
【００４４】
図６および図７は、本発明のさらに他の実施例にかかる浮上式電気掃除機の構成の一例を示したものである。なお、図において、図１と同一部分および相当する部分には、同一符号を付している。
【００４５】
同図において、この浮上式電気掃除機の本体１は、略円筒状に形成されており、本体１の側面には、ユーザが本体１を運搬する際につかむためのハンドルＨＬが設けられているとともに、本体１の下部にはスカート部２が設けられている。本体１の中央部には、モータ３が固定されるモータ室４が設けられており、図示しない連結部より流入した空気は、本体１の上部に設けられているサイクロン方式の分離部６へ導かれ、分離部６を旋回中に、吸気中に含まれる塵埃が集塵室７へ集められる。
【００４６】
また、吸気流は、モータ室４の上端部に設けられている吸気孔８を介してモータ室４へと至り、さらに、モータ室４の下端部に設けられている排気孔９を介して、本体１の下側に設けられている圧力室１０へ至る。
【００４７】
また、圧力室１０は、その周囲が壁部材１１により仕切られている。また、集塵室７の下位置には、電源コードを巻き取るためのコードリール１２が収容されている。
【００４８】
また、壁部材１１が床面に対向する部分１１ａは、本体１の内側方向へ湾曲する態様に形成されている。また、部分１１ａと床面との距離は、スカート部２が最も床面に近づく端部２ａと床面との距離よりも小さくなるように設定されている。
【００４９】
以上の構成で、この浮上式電気掃除機を運転している状態では、圧力室１０へモータ室４からの気流が送り込まれ、圧力室１０の圧力が十分な大きさになると、本体１が床面より浮上し、浮上式電気掃除機が運転可能な状態となる。
【００５０】
この運転状態で、ユーザがハンドルＨＬをつかんで、図８に示すように、本体１を持ち上げると、圧力室１０へ送り出される気流は、床面へ吹き出すことがなくなるので、床面の塵埃等が飛散する等の事態を未然に防止することができる。
【００５１】
【発明の効果】
以上説明したように、本発明によれば、ユーザがハンドルをつかんで本体を持ち上げると、本体装置の電源がオフされて、モータ動作が停止し、本体の下側より吹き出していた気流が停止するので、床面の塵埃等が飛散する等の事態を未然に防止することができるという効果を得る。
【００５２】
また、ユーザがハンドルをつかんで本体を持ち上げると、モータ室から圧力室への気流の供給が停止するので、本体の下側より吹き出していた気流が停止し、その結果、床面の塵埃等が飛散する等の事態を未然に防止することができるという効果を得る。
【００５３】
また、ユーザが本体の側面に設けられているハンドルをつかんで、本体を持ち上げると、圧力室へ送り出される気流は、床面へ吹き出すことがなくなるので、床面の塵埃等が飛散する等の事態を未然に防止することができるという効果を得る。
【図面の簡単な説明】
【図１】本発明の一実施例にかかる浮上式電気掃除機の一例を示した概略部分断面側面図。
【図２】本発明の一実施例にかかる浮上式電気掃除機の電気回路の一例を示したブロック図。
【図３】図１に示した実施例の動作を説明するための概略部分断面側面図。
【図４】本発明の他の実施例にかかる浮上式電気掃除機の一例を示した概略部分断面側面図。
【図５】図４に示した実施例の動作を説明するための概略部分断面側面図。
【図６】本発明の別な実施例にかかる浮上式電気掃除機の一例を示した概略側面図。
【図７】本発明の別な実施例にかかる浮上式電気掃除機の一例を示した概略部分断面側面図。
【図８】図６に示した実施例の動作を説明するための概略側面図。
【符号の説明】
１  本体
ＨＬ  ハンドル
１３  下固定板
１４，２１，２２  キャスター
１４ａ  突起
１５  固定部材
１６  スプリング
１７  スイッチ
２１ｂ、２２ｂ  棒部材
２１ｃ、２２ｃ  蓋部材
２１ｄ  板部材
２１ｅ，２８  孔
２１ｆ、２２ｄ  連通孔
２７  排気路
１００  本体装置
【図１】
2005006717.tif 000003
【図２】
2005006717.tif 000004
【図３】
2005006717.tif 000005
【図４】
2005006717.tif 000006
【図５】
2005006717.tif 000007
【図６】
2005006717.tif 000008
【図７】
2005006717.tif 000009
【図８】
2005006717.tif 000010